(57)【特許請求の範囲】
【請求項１】
給紙トレイとその下部に排紙トレイを備え、その給紙トレイと排紙トレイとを結んで、原稿を、原稿読取面に搬送するための湾曲した原稿搬送路が形成され、その原稿搬送路の内周側と外周側に沿って複数の搬送ローラが設けられ、その給紙トレイ側の原稿搬送路の上流側の内周側と外周側の搬送ローラを、リタードローラとセパレートローラで構成し、そのセパレートローラを、原稿読取面に至る原稿搬送路を開放する開閉自在な上部フレームに設けたシート搬送装置において、前記セパレートローラに従動ギアを設け、他方その従動ギアに噛合する搬送ローラ駆動用ギアを、上部フレームの開閉支点とは反対側でかつ上部フレームを閉じたときに同じ高さとなるように設けて、搬送ローラ駆動用ギアが従動ギアと噛合してリタードローラを駆動するとき、上部フレームが閉まる方向に作用させて、セパレートローラがリタードローラに圧接するようにしたことを特徴とするシート搬送装置。
【発明の詳細な説明】
【０００１】
【発明の属する技術分野】
本発明は、ファックス装置やコピー機等、読取位置に原稿を自動的に搬送するシート搬送装置に関するものである。
【０００２】
【従来の技術】
ファックス装置やコピー機等には、装置本体側にＦＢＳ（フラットベットスキャナ）を備えると共に、装置本体に対して開閉自在な原稿押圧板には、ＡＤＦ装置（シート搬送装置）を備えており、ＦＢＳ方式で原稿を読み取るときには、原稿押圧板を開いて装置本体側の読み取り面に文書等をセットして原稿押圧板を閉じた後、光源、ミラー等により静止原稿をスキャンニングして静止原稿の反射像をＣＣＤカメラに結像させて電気信号に変換し、ＡＤＦ装置を用いて原稿を読み取るときには、シート状の原稿を、シート搬送装置にて一枚ずつ搬送してＦＢＳ方式の読取面と別途に設けた原稿読取面に案内し、その読取面で原稿を読み取るようにしている。
【０００３】
ＡＤＦ装置の小型化を達成するために、原稿搬送路に沿って複数の搬送ローラを構成する駆動ローラと従動ローラを配置したＡＤＦ装置が提案されている。このように複数の駆動ローラと従動ローラで原稿搬送路を形成することで、ＡＤＦ装置を小型化することができる。
【０００４】
【発明が解決しようとする課題】
ところで、このＡＤＦ装置の搬送ローラは、原稿搬送路の内周側は、原稿搬送路の幅方向の両側に設けたサイドフレーム間に支持されるが、搬送路の外周側搬送ローラ、特に、内周側リタードローラと接触して原稿を一枚ずつ分離して送るためのセパレートローラは、原稿搬送路中に原稿が詰まったときに取り出せるよう、原稿搬送路を開放するための開閉自在な上部フレームに取り付けられており、セパレートローラを回転駆動させる際、その駆動伝達ギアの配置によっては、上部フレームが開く方向に作用することがある。またセパレートローラに対向してリタードローラが弾装されていると、このリタードローラの押圧力が助長されて上部フレームが開く方向に作用することになり、セパレートローラが浮き上がって原稿の繰り込みが良好に行い得なくなる問題がある。
【０００５】
そこで、本発明の目的は、上記課題を解決し、開閉自在な上部フレームに設けられたセパレートローラ等の搬送ローラを駆動する際に、上部フレームに閉まる方向の力が作用するシート搬送装置を提供することにある。
【０００６】
【課題を解決するための手段】
上記目的を達成するために、請求項１の発明は、給紙トレイとその下部に排紙トレイを備え、その給紙トレイと排紙トレイとを結んで、原稿を、原稿読取面に搬送するための湾曲した原稿搬送路が形成され、その原稿搬送路の内周側と外周側に沿って複数の搬送ローラが設けられ、その給紙トレイ側の原稿搬送路の上流側の内周側と外周側の搬送ローラを、リタードローラとセパレートローラで構成し、そのセパレートローラを、原稿読取面に至る原稿搬送路を開放する開閉自在な上部フレームに設けたシート搬送装置において、前記セパレートローラに従動ギアを設け、他方その従動ギアに噛合する搬送ローラ駆動用ギアを、上部フレームの開閉支点とは反対側でかつ上部フレームを閉じたときに同じ高さとなるように設けて、搬送ローラ駆動用ギアが従動ギアと噛合してリタードローラを駆動するとき、上部フレームが閉まる方向に作用させて、セパレートローラがリタードローラに圧接するようにしたシート搬送装置である。
【０００９】
【発明の実施の形態】
以下、本発明の好適一実施の形態を添付図面に基づいて詳述する。
【００１０】
先ず、ファクシミリ装置等におけるＡＤＦ装置の全体構成を図４により説明する。
【００１１】
図４において、１０はファクシミリ等の装置本体で、装置本体１０上に開閉自在な原稿押圧板１１が開閉自在に設けられ、その原稿押圧板１１に、装置本体１０に形成した原稿読取面１２に原稿を１枚ずつ搬送して読み取らせるためのＡＤＦ装置（シート搬送装置）１３が設けられる。
【００１２】
ＡＤＦ装置１３は、給紙トレイ１４とその下部に排紙トレイ１５を備え、その給紙トレイ１４と排紙トレイ１５とを結んで湾曲した原稿搬送路１６が形成され、その原稿搬送路１６に沿って複数の搬送ローラ１７が設けられる。
【００１３】
この搬送ローラ１７は、給紙トレイ１４側から排紙トレイ１５にかけてピックアップローラ１８ａ、セパレートローラ１８ｂとリタードローラ１９、第１紙送りローラ２０と第１従動ローラ２１、第２紙送りローラ２２と第２従動ローラ２３、第３紙送りローラ２４と第３従動ローラ２５、及び排出駆動ローラ２６と排出従動ローラ２７が、順にそれぞれ給紙を挟んで送るよう対向して設けられる。
【００１４】
また、リタードローラ１９、第１紙送りローラ２０、第２紙送りローラ２２、第３紙送りローラ２４及び排出従動ローラ２７は、原稿搬送路１６の内周側に位置するように配置され、ピックアップローラ１８ａ，セパレートローラ１８ｂ、第１従動ローラ２１、第２従動ローラ２３、第３従動ローラ２５、及び排出従動ローラ２６は、原稿搬送路１６の外周側に位置するように配置され、これら各搬送ローラ１７間には、原稿搬送路１６を形成するための内周側ガイド２８と外周側ガイド２９がそれぞれ設けられる。
【００１５】
なお、装置本体１０にはＡＤＦによる原稿読取面１２の他にＦＢＳによる原稿読取ガラス面３０が形成され、排紙トレイ１５の下面には、装置本体１０の読取ガラス面３０にセットした原稿を押さえる原稿押さえ面３１が形成され、装置本体１０には、読取ガラス面３０に原稿をセットしたときは図示していないＦＢＳが作動して原稿の画像を読み取り、ＡＤＦ装置１３の給紙トレイ１４に原稿をセットしたときは、ＡＤＦ装置１３の各搬送ローラ１７が作動して原稿を原稿搬送路１６に沿って搬送すると共に原稿読取面１２で原稿の画像を読み取るようになっている。
【００１６】
図３に示すように原稿押圧板１１上には、一対のサイドフレーム３２が設けられ、そのサイドフレーム３２，３２間に、ＡＤＦ装置１３の各搬送ローラ１７、すなわち、リタードローラ１９、第１紙送りローラ２０、第２紙送りローラ２２、第３紙送りローラ２４及び排出駆動ローラ２６が回転自在に支持される。また、セパレートローラ１８ｂ、第１従動ローラ２１は、サイドフレーム３２の軸部３３を支点にして開閉自在に設けられた上部フレーム３４に設けられる。
【００１７】
さて、図１、図２により、サイドフレーム３２に支持されたリタードローラ１９、第１紙送りローラ２０、第２紙送りローラ２２、第３紙送りローラ２４及び排出駆動ローラ２６を駆動する駆動伝達機構を説明する。
【００１８】
先ず、駆動モータ４０の軸前後に連結された２段の駆動プーリ４１に、それぞれベルト４２，４３を介して第１メインプーリ４４と第２メインプーリ４５が連結される。
【００１９】
第１メインプーリ４４に設けた駆動プーリ５０とサイドフレーム３２に回転自在に支持された第１紙送りローラ２０のローラプーリ２０ａとにベルト５２が掛け渡される。第１紙送りローラ２０の軸５１には、テンションブラケット５３が揺動自在に設けられ、そのテンションブラケット５３にベルト５２を押圧してテンションを付与するアイドラローラ５４が設けられる。
【００２０】
テンションブラケット５３には、円弧状の長孔５５が形成されており、この長孔５５にネジ５６を挿通し、締め付けることにより、テンションブラケット５３をサイドフレーム３２に固着するようにしている。
【００２１】
なお、本実施の形態では、前記テンションブラケット５３はベルトテンションの調整終了後にはネジ５６にて固定しているが、前述の負荷変動が伝達されないようにすれば、テンションブラケット５３をネジ５６で固定せずに常時板バネ５８にてテンションブラケット５３を付勢している構成でもよい。
【００２２】
さらに、テンションブラケット５３は、サイドフレーム３２にネジ等の固着手段によって設けられた板バネ５８が当接し、その板バネ５８によりテンションブラケット５３が常時反時計方向に回動が付勢されるようになっている。
【００２３】
第２メインプーリ４５に設けた駆動プーリ６０と、第２紙送りローラ２２に連結されたプーリ２２ａと、第３紙送りローラ２４に連結されたプーリ２４ａとにベルト６１が掛け渡される。
【００２４】
第２紙送りローラ２２の軸６２には、傾動ブラケット６３が揺動自在に設けられ、その傾動ブラケット６３に、駆動プーリ６０とプーリ２２ａ間のベルト６１を押圧してテンションを付与するアイドラローラ６４が設けられる。
【００２５】
傾動ブラケット６３は、円弧状の長孔６５が形成されると共に、コイルバネ６８によりベルト６０にテンションを付与した後に傾動ブラケット６３を固定するため、長孔６５を介してサイドフレーム３２のネジ孔にネジ６６を挿通し、該ネジ６６の頭部により傾動ブラケット６３をサイドフレーム３２に固定するようにしている。なお、本実施の形態では、前記傾動ブラケット６３はベルトテンションの調整を終了後にはネジ６６にて固定しているが、ベルトの歯飛びを防止するようにすれば、傾動ブラケット６３をネジ６６で固定せずに常時コイルバネ６８にて傾動ブラケット６３を付勢している構成でもよい。
【００２６】
さて第１メインプーリ４４には、駆動ギア４６が一体に設けられ、その駆動ギア４６に第１中間ギア４７が噛合され、その第１中間ギア４７に第２中間ギア４８が噛合されると共に第２中間ギア４８に、排出駆動ローラ２６の排出駆動ローラギア２６ａが噛合され、また第１中間ギア４７には、搬送ローラ駆動用ギアとしての第３中間ギア４９が噛合され、その中間ギア４９に、上部フレーム３４に取り付けられた搬送ローラとしてのセパレートローラ１８ｂの従動ギア１８ｃが噛合され、第１メインプーリ４４の駆動ギア４６より排出駆動ローラ２６とセパレートローラ１８ｂとが回転駆動される。
【００２７】
このセパレートローラ（搬送ローラ）１８ｂの従動ギア１８ｃと噛合する第３中間ギア（搬送ローラ駆動用ギア）４９は、従動ギア１８ｃに対して上部フレーム３４の開閉支点となる軸部３３とは反対方向に配置され、かつ反対方向の第３中間ギア４９により従動ギア１８ｃが図示の矢印方向に回転することで、上部フレーム３４が閉まる方向（反時計方向）に作用するようにされ、さらに、上部フレーム３４を閉じたとき、リタードローラ１９に圧接するように上部フレーム３４に設けられる。
【００２８】
次に本発明の作用を述べる。
【００２９】
駆動モータ４０により駆動プーリ４１が回転され、ベルト４２，４３にて第１メインプーリ４４と第２メインプーリ４５とが回転される。
【００３０】
先ず、第１メインプーリ４４の駆動プーリ５０の回転にて、ベルト５２を介して、第１紙送りローラ２０のローラプーリ２０ａが回転される。この際、ベルト５２は、板バネ５８によりテンションブラケット５３が常時反時計方向に回動するよう付勢され、アイドラローラ５４が、ベルト５２を押圧して板バネ５８の弾性力に見合った張力を付与することが可能となる。
【００３１】
また、第２メインプーリ４５の駆動プーリ６０の回転によりベルト６１を介して、第２紙送りローラ２２に連結されたプーリ２２ａと、第３紙送りローラ２４に連結されたプーリ２４ａが回転され、コイルバネ６８で、反時計方向に付勢された傾動ブラケット６３により、そのアイドラローラ６４が、駆動プーリ６０とプーリ２２ａ間のベルト６１を押圧してテンションを付与するため、ベルト６１の張力が適正に保たれ第２紙送りローラ２２と第３紙送りローラ２４が正確に回転される。
【００３２】
次に、第１メインプーリ４４の駆動ギア４６の回転にて、第１中間ギア４７、第２中間ギア４８を介して、排出駆動ローラギア２６ａが回転され、排出駆動ローラ２６が回転される。
【００３３】
さて、第１中間ギア４７の回転により、第３中間ギア（搬送ローラ駆動用ギア）４９が、図示の矢印方向に回転され、これと噛合する上部フレーム３４に取り付けられた従動ギア１８ｃが図示の矢印方向に回転されて、搬送ローラであるセパレートローラ１８ｂが回転される。
【００３４】
この際、従動ギア１８ｃは、図示の矢印のように反時計方向に回転されるため、その回転力が上部フレーム３４に取り付けられていても上部フレーム３４を閉じる方向に作用するため、支障なく回転でき、セパレートローラ１８ｂがリタードローラ１９に対してそのニップ位置から離間しないため、良好な原稿の分離搬送が行われる。
【００３５】
また、セパレートローラ１８ｂは、リタードローラ１９に弾接し、その回転により、セパレートローラ１８ｂは、常時上に押し上げられるが、第３中間ギア４９にて上部フレーム３４の支点である軸部３３を中心に常時押し下げる力が作用するため、上部フレーム３４が開放する方向に力が作用することがない。
【００３６】
【発明の効果】
以上要するに本発明によれば、搬送ローラであるセパレートローラが、リタードローラとのニップ位置から離間しないため良好な原稿分離搬送が行える。
【図面の簡単な説明】
【図１】本発明の一実施の形態を示す要部拡大図である。
【図２】本発明の平面図である。
【図３】図１を裏面から見た要部断面図である。
【図４】本発明の全体構成を示す断面図である。
【符号の説明】
１７  搬送ローラ
１８ｂ  セパレートローラ（搬送ローラ）
１８ｃ  従動ギア
１９  リタードローラ
３３  軸部
３４  上部フレーム
４９  第３中間ギア（搬送ローラ駆動用ギア）
【図１】
0004092856.tif 000002
【図２】
0004092856.tif 000003
【図３】
0004092856.tif 000004
【図４】
0004092856.tif 000005